(57)【要約】【課題】高所作業用に適用することができ、高所の天井裏内に配線ケーブル等の各種の配線を敷設する作業を容易に行うことができる通線装置と通線方法を提供する。【解決手段】通線装置１は、投てき装置２と、受け部材３と、を有する。投てき装置２は、アロー１２を飛ばす。受け部材３は、アロー１２を当接させて受ける。そして、通線用のリード線１８の一端をアロー１２に固定した状態で、通線対象となる離間した位置に配置された２つの点検口のうちの一方の第１の点検口側に投てき装置２、通線対象の他方の第２の点検口側に受け部材３をそれぞれ挿入する。投てき装置２から受け部材３に向けて発射したアロー１２を受け部材３に当接させて落下させることで第１の点検口と第２の点検口との間にリード線１８を敷設する。【選択図】      図１
2019106803.tif 000002
【特許請求の範囲】
【請求項１】
飛翔体を飛ばす投てき装置と、
前記飛翔体を当接させて受ける受け部材と、を有し、
通線用のリード線の一端を前記飛翔体に固定した状態で、通線対象となる離間した位置に配置された２つの点検口のうちの一方の第１の点検口側に前記投てき装置、前記通線対象の他方の第２の点検口側に前記受け部材をそれぞれ挿入し、
前記投てき装置から前記受け部材に向けて発射した前記飛翔体を前記受け部材に当接させて落下させることで前記第１の点検口と第２の点検口との間に前記リード線を敷設する通線装置。
【請求項２】
前記投てき装置は、前記飛翔体を発射する引き糸を有する弓部材と、
前記引き糸を引き絞るセット位置で前記引き糸を係脱可能に係止する係止部材と、
前記係止部材の係合解除操作を行う引き金機構と、
撮影用の撮影部材と、を有し、
前記飛翔体は、前記リード線を固定する固定部を有し、
前記投てき装置を前記第１の点検口に挿入し、前記第１の点検口の外部から前記撮影部材の撮影画像により前記受け部材を確認した状態で、前記引き金機構を作動させることで、前記係止部材の係合を解除し、前記弓部材によって前記飛翔体を前記受け部材に向けて発射する請求項１に記載の通線装置。
【請求項３】
前記引き金機構は、前記係止部材の係合解除操作を行う紐状体と、
前記紐状体を前記飛翔体の発射方向とほぼ直交する鉛直方向に引っ張り操作する引っ張り方向調整部とを有する請求項２に記載の通線装置。
【請求項４】
前記受け部材は、前記飛翔体を当接させて落下させる低反発性の板状部材である請求項１に記載の通線装置。
【請求項５】
前記投てき装置は、ばね部材のばね力で前記飛翔体を発射するばね機構を有する請求項１に記載の通線装置。
【請求項６】
飛翔体を飛ばす投てき装置と、前記飛翔体を当接させて受ける受け部材と、を有する通線装置を使用して通線対象となる離間した位置に配置された２つの点検口のうちの一方の第１の点検口と他方の第２の点検口との間に通線用のリード線を敷設する通線方法であって、
前記リード線の一端を前記飛翔体に固定した状態で、前記投てき装置に前記飛翔体をセットすることと、
前記第１の点検口側に前記投てき装置を挿入することと、
前記第２の点検口側に前記受け部材を挿入することと、
前記投てき装置から前記受け部材に向けて前記飛翔体を発射し、前記飛翔体を前記受け部材に当接させて落下させることで前記第１の点検口と前記第２の点検口との間に前記リード線を敷設することと、
前記第２の点検口側で前記リード線に通線用のケーブルを連結し、前記リード線を前記第１の点検口側に引き抜き操作することで前記通線用のケーブルを敷設することと、
を具備する通線方法。
【発明の詳細な説明】
【技術分野】
【０００１】
本発明は、例えば天井裏内に配線ケーブル等の各種の配線を敷設する天井裏通線作業用の通線装置と通線方法に関する。
【背景技術】
【０００２】
例えば商用施設等の高所、例えば４〜６ｍ程度の天井裏内に配線ケーブル等の各種の配線を敷設する場合には、作業者が脚立などの足場や高所作業台を使用してその作業を行っている。まず、脚立に乗った作業者が天井面の点検口を手作業で開く。続いて、脚立に乗った作業者が線状の通線ロッドなどの工具を使用して例えば５〜１０ｍ程度離れた位置にある他方の点検口や、ダウンライトなどの開口部側にケーブルを運び、天井裏内に配線ケーブル等の各種の配線を敷設する作業を行う。その後、脚立に乗った作業者が手作業で天井面の点検口を閉じる。
【先行技術文献】
【特許文献】
【０００３】
【特許文献１】特開２０１４−１９３０３２号公報
【発明の概要】
【発明が解決しようとする課題】
【０００４】
しかしながら、このような従来の通線作業は、脚立などの足場や高所作業台を使用するので、複数の作業者が必要になり、作業能率が低い。また、一般家屋内の天井裏内に配線ケーブル等の各種の配線を敷設する場合に使用する天井裏通線作業用の工具のサイズを大型化して高所作業用の工具に適用することも考えられる。しかしながら、この場合には、工具全体の大きさや、重量が大きくなるので、取り扱いが難しくなり、高所に配線ケーブル等の各種の配線を敷設する作業が難しくなる。
【０００５】
本発明は上記事情に着目してなされたもので、その目的は、高所作業用に適用することができ、高所の天井裏内に配線ケーブル等の各種の配線を敷設する作業を容易に行うことができる通線装置と通線方法を提供することにある。
【課題を解決するための手段】
【０００６】
本発明の一局面の態様の通線装置は、投てき装置と、受け部材と、を有する。投てき装置は、飛翔体を飛ばす。受け部材は、前記飛翔体を当接させて受ける。そして、通線用のリード線の一端を前記飛翔体に固定した状態で、通線対象となる離間した位置に配置された２つの点検口のうちの一方の第１の点検口側に前記投てき装置を設置し、前記通線対象の他方の第２の点検口側に前記受け部材を設置する。前記投てき装置から前記受け部材に向けて発射した前記飛翔体を前記受け部材に当接させて落下させることで前記第１の点検口と第２の点検口との間に前記リード線を敷設する。
【０００７】
好ましくは、前記投てき装置は、弓部材と、係止部材と、引き金機構と、撮影部材と、を有する。弓部材は、前記飛翔体を発射する引き糸を有する。係止部材は、前記引き糸を引き絞るセット位置で前記引き糸を係脱可能に係止する。引き金機構は、前記係止部材の係合解除操作を行う。撮影部材は、撮影用である。前記飛翔体は、前記リード線を固定する固定部を有する。そして、前記投てき装置を前記第１の点検口に挿入し、前記第１の点検口の外部から前記撮影部材の撮影画像により前記受け部材を確認した状態で、前記引き金機構を作動させることで、前記係止部材の係合を解除し、前記弓部材によって前記飛翔体を前記受け部材に向けて発射する。
【０００８】
好ましくは、前記引き金機構は、紐状体と、引っ張り方向調整部とを有する。紐状体は、前記係止部材の係合解除操作を行う。引っ張り方向調整部は、前記紐状体を前記飛翔体の発射方向とほぼ直交する鉛直方向に引っ張り操作する。
【０００９】
好ましくは、前記受け部材は、前記飛翔体を当接させて落下させる低反発性の幕部材である。
【００１０】
好ましくは、前記投てき装置は、ばね部材のばね力で前記飛翔体を発射するばね機構を有する。
【００１１】
本発明の他の局面の態様の通線方法は、飛翔体を飛ばす投てき装置と、前記飛翔体を当接させて受ける受け部材と、を有する通線装置を使用して通線対象となる離間した位置に配置された２つの点検口のうちの一方の第１の点検口と他方の第２の点検口との間に通線用のリード線を敷設する通線方法である。前記通線方法は、前記リード線の一端を前記飛翔体に固定した状態で、前記投てき装置に前記飛翔体をセットすることと、前記第１の点検口側に前記投てき装置を挿入することと、前記第２の点検口側に前記受け部材を挿入することと、前記投てき装置から前記受け部材に向けて前記飛翔体を発射し、前記飛翔体を前記受け部材に当接させて落下させることで前記第１の点検口と前記第２の点検口との間に前記リード線を敷設することと、前記第２の点検口側で前記リード線に通線用のケーブルを連結し、前記リード線を前記第１の点検口側に引き抜き操作することで前記第１の点検口と前記第２の点検口との間に前記通線用のケーブルを敷設することと、を具備する。
【発明の効果】
【００１２】
高所作業用に適用することができ、高所の天井裏内に配線ケーブル等の各種の配線を敷設する作業を容易に行うことができる通線装置と通線方法を提供することができる。
【図面の簡単な説明】
【００１３】
【図１】図１は、実施形態に係る通線装置の投てき装置の斜視図である。
【図２】図２は、実施形態の通線装置の受け部材を示す斜視図である。
【図３】図３は、実施形態の通線装置の投てき装置を示す側面図である。
【図４】図４は、実施形態の通線装置のアロー部材を示すもので、（Ａ）は平面図、（Ｂ）は側面図である。
【図５】図５は、実施形態の通線装置の投てき装置にアロー部材をセットした状態を示す側面図である。
【図６】図６は、実施形態の通線装置の撮影部材を示す側面図である。
【図７】図７は、実施形態の通線装置の操作部を示す側面図である。
【図８】図８は、実施形態の通線装置の弓を引く前の状態を示す側面図である。
【図９】図９は、実施形態の通線装置の弓を引く動作の完了状態を示す側面図である。
【図１０】図１０は、実施形態の通線装置のアロー部材に通線用のケーブルを固定した状態を示す側面図である。
【図１１】図１１は、実施形態の通線装置のアロー部材のセット状態を示す側面図である。
【発明を実施するための形態】
【００１４】
以下、本発明の好ましい実施形態について図面を参照して説明する。図１は、本発明の実施形態に係る通線装置の投てき装置の斜視図である。図２は、実施形態の通線装置の受け部材を示す斜視図である。図３は、実施形態の通線装置の投てき装置を示す側面図である。図４は、実施形態の通線装置のアロー部材を示すもので、（Ａ）は平面図、（Ｂ）は側面図である。図５は、実施形態の通線装置の投てき装置にアロー部材をセットした状態を示す側面図である。図６は、実施形態の通線装置の撮影部材を示す側面図である。図７は、実施形態の通線装置の操作部を示す側面図である。図８は、実施形態の通線装置の弓を引く前の状態を示す側面図である。図９は、実施形態の通線装置の弓を引く動作の完了状態を示す側面図である。図１０は、実施形態の通線装置のアロー部材に通線用のケーブルを固定した状態を示す側面図である。図１１は、実施形態の通線装置のアロー部材のセット状態を示す側面図である。
【００１５】
本実施形態の通線装置１は、例えば商用施設等の高所、例えば４〜６ｍ程度の高さの天井裏内に配線ケーブル等の各種の配線を敷設する場合に使用される。通常、天井面には複数の点検口や、ダウンライトなどの開口部が形成されている。これらの点検口は、扉により閉じられている。本実施形態の通線装置１は、離間した位置に配置された図示しない２つの点検口を使用して高所の天井裏内に通線作業を行う装置である。
【００１６】
本実施形態の通線装置１は、図１に示す投てき装置２と、図２に示す受け部材３と、を有する。ここで、本実施形態の通線装置１の通線対象となる離間した位置に配置された図示しない２つの点検口のうちの一方の第１の点検口側に投てき装置２を配置し、通線対象の他方の第２の点検口側に受け部材３を配置する。
【００１７】
投てき装置２は、支持脚部４と、この支持脚部４に着脱可能に装着されるアロー部ユニット５とを有する。
【００１８】
支持脚部４は、三脚６と、伸縮棒７とを有する。三脚６は、開閉可能な３本の脚部６ａ、６ｂ、６ｃ（図１中では脚部６ｃは図示せず）と、支軸６ｄと、連結具６ｅと、伸縮棒固定部６ｆとを有する。支軸６ｄは、連結具６ｅの中央部位に貫挿されている。連結具６ｅの外周部位には、３本の脚部６ａ、６ｂ、６ｃの上端部が連結されている。さらに、連結具６ｅには、三脚固定ノブ６ｇが設けられている。三脚６は、３本の脚部６ａ、６ｂ、６ｃを開いて三脚固定ノブ６ｇを回すことで固定される。
【００１９】
図１中で支軸６ｄの上端部には、伸縮棒固定部６ｆが設けられている。この伸縮棒固定部６ｆには、伸縮棒連結穴部６ｈと、伸縮棒固定ノブ６ｉとが設けられている。そして、伸縮棒連結穴部６ｈに伸縮棒７の下端部を挿入した状態で、伸縮棒固定ノブ６ｉを回すことで三脚６に伸縮棒７が固定される。
【００２０】
伸縮棒７は、例えば、複数の円筒部材を伸縮自在に連結した棒状部材である。この伸縮棒７は、床から図示しない点検口の扉が設けられた天井までの高さに合わせて、伸縮量を調整することができる。伸縮棒７の材料としては、軽量であって、ある程度の強度を有していることが好ましい。伸縮棒７の材料としては、例えば、樹脂材料やＦＲＰ等を採用することができる。
【００２１】
本実施形態では、伸縮棒７は、三脚６に支持された状態で、天井へ向かって延ばして使用される。伸縮棒７の延出方向の先端には、先端部材７ａが設けられている。伸縮棒７の先端部材７ａは、アロー部ユニット５に着脱可能に連結される。
【００２２】
アロー部ユニット５は、弓部材１１と、この弓部材１１から図４（Ａ），（Ｂ）に示す例えばアロー（飛翔体）１２を飛ばす弓操作装置１３とを有する。弓部材１１は、円弧形状の弓本体１４と、この弓本体１４の両端（図１中で上下の端部）間に張設された糸状の弦部材（引き糸）１５とを有する。
【００２３】
アロー１２は、棒状のアロー本体１６と、このアロー本体１６の基端部に設けられた羽部１７とを有する。アロー本体１６の先端部には、突き当ての衝撃を緩衝する緩衝材料、例えば柔軟な軟性材料で形成された先端部材１６ａが設けられている。アロー本体１６の基端部には、図１０に示すように通線作業用のリード線１８を固定する穴部１６ｂが設けられている。さらに、アロー本体１６の先端部側には、弓保持台１９の先端に位置合わせするための赤線などの目印１６ｃが設けられている。
【００２４】
弓操作装置１３は、主に弓保持台１９と、引き金機構部２０と、を有する。弓保持台１９は、伸縮棒７の延出方向とほぼ直交する方向（図１、３、５中で左右方向）に延設されたアローガイド部２１を有する。このアローガイド部２１の先端部側には、弓本体１４の両端（図１中で上下の端部）間のほぼ中央位置を固定する弓固定部２２が設けられている。
【００２５】
弓保持台１９の基端部側には、弓本体１４の弦部材１５をアロー１２の発射位置（図９参照）まで引いた際（引き糸を引き絞るセット位置）に、弦部材１５のほぼ中央部分を引掛けた状態で係脱可能に係止する図示しないフック状の引き金部（係止部材）が設けられている。引き金部は、引き金機構部２０の操作により、弦部材１５の係止位置と、弦部材１５との係止を解除する係止解除位置との間で切り替え可能である。なお、アロー部ユニット５の非使用時（弓部材１１の非操作時）には、弓本体１４の弦部材１５は、図８に示す待機位置で保持されている。なお、弓保持台１９には、アロー１２の到達する位置を表示する例えばレーザー光を照射する図示しない到達表示装置が取り付け可能である。
【００２６】
引き金機構部２０は、引き金部を弦部材１５の係止位置で操作不能な状態にロックする図示しないロック機構を備えた安全装置と、ロック機構のロック解除時に引き金部を引っ張り操作する引き金操作部材とを有する。安全装置のロック機構には、図１に示すロック解除用の第１の操作紐（紐状体）２３が設けられている。この第１の操作紐２３は、例えば赤色の操作紐によって形成されている。また、引き金操作部材には、図１に示す引き金操作用の第２の操作紐２４が設けられている。この第２の操作紐２４は、例えば白色の操作紐によって形成されている。
【００２７】
さらに、引き金機構部２０には、第１の操作紐２３および第２の操作紐２４の引っ張り操作方向をアロー１２の発射方向とほぼ直交する鉛直方向に引っ張り操作する引っ張り方向調整部２５が設けられている。この引っ張り方向調整部２５は、例えば転動ローラ２６を有する。そして、第１の操作紐２３を下向きに引っ張り操作することで、ロック機構のロック解除操作が行われる。同様に、第２の操作紐２４を下向きに引っ張り操作することで、引き金の操作が行われる。
【００２８】
また、アロー部ユニット５は、天井裏内の状況を確認する図６に示す屋根裏確認ユニット２７を有する。この屋根裏確認ユニット２７は、主に照明装置２８と、カメラ２９と、を有する。照明装置２８は、例えばＬＥＤライトによって形成されている。この屋根裏確認ユニット２７は、アロー部ユニット５に着脱可能に連結される。なお、図１、図３、図５、図７、図８、図９では、屋根裏確認ユニット２７の図示は省略されている。
【００２９】
さらに、アロー部ユニット５の下端部には、伸縮棒７の差し込み口３０と、この差し込み口３０の周壁に装着された固定ノブ３１とが設けられている。そして、差し込み口３０に伸縮棒７の先端部材７ａが挿入された状態で、固定ノブ３１を回転操作することにより、例えば固定ねじにより伸縮棒７の先端部材７ａが、アロー部ユニット５に着脱可能に連結される。
【００３０】
受け部材３は、図２に示すように投てき装置２の支持脚部４（図１参照）と同じ構成の支持脚部４１を有する。そのため、図２中で、図１と同一部分には同一の符号を付してその説明を省略する。
【００３１】
受け部材３は、アロー部ユニット５のアロー１２を受ける標的となる例えば布製の幕部材４２である。本実施形態では、この幕部材４２は、金属板などの固定パネルに保持された低反発性の部材、例えば布によって形成されている。この幕部材４２は、例えば図２中で上端部側が固定パネルに固定され、下端部側は固定パネルに対して非接触でかつ非固定状態で保持されている。そのため、アロー１２は、幕部材４２に当接させてほぼ真下に落下させることができる。なお、この幕部材４２は、使用時には図２に示すように広げた形態にセットされるとともに、非使用時には図示しない折り畳んだ形態に変形させて収納可能になっている。
【００３２】
次に、上記構成の本実施形態の通線装置１の作用について説明する。本実施の形態の通線装置１は、高所の天井裏内に通線作業を行う際に使用される。この通線作業時には、通線対象となる高所の天井面の水平方向に離間した位置、例えば１０ｍ程度離れた位置に配置された図示しない２つの点検口を使用する。
【００３３】
そして、図示しない開閉具などを使用して予めこれら２つの点検口の扉を開く作業が行われる。２つの点検口の扉を開いたのち、本実施形態の通線装置１を使用した通線作業が開始される。ここで、本実施形態の通線装置１は、通線対象の２つの点検口のうちの一方の第１の点検口を介して投てき装置２が天井裏に挿入され、他方の第２の点検口を介して受け部材３が天井裏に挿入される。
【００３４】
また、通線装置１の使用時には、投てき装置２のアロー部ユニット５は、予め次の通りセットされる。まず、図８に示すように弓本体１４の弦部材１５に左右の手を掛けた状態で、図９に示すように弦部材１５をアロー１２の発射位置まで引き絞る。この引き絞った弦部材１５をアロー１２の発射位置で弓保持台１９の引き金部のフックに係止する。この状態で、安全装置のロック機構をロックする。
【００３５】
その後、図１０に示すように使用するアロー１２の穴部１６ｂに通線作業用のリード線１８を固定する。続いて、リード線１８が固定されたアロー１２を弓保持台１９にセットする。このとき、アロー１２の目印１６ｃを弓保持台１９の先端に位置合わせした状態でセットする。
【００３６】
また、投てき装置２および受け部材３は、それぞれ予め別々の伸縮棒７の先端に連結された状態にセットされる。ここで、投てき装置２は、まず、アロー部ユニット５に図６に示す屋根裏確認ユニット２７が着脱可能に連結される。その後、伸縮棒７の先端部材７ａがアロー部ユニット５の差し込み口３０に挿入された状態で、固定ノブ３１を回転操作することにより、伸縮棒７とアロー部ユニット５とが着脱可能に連結される。必要に応じて伸縮棒７の基端部を三脚６に連結させて伸縮棒７を三脚６で支持させる。
【００３７】
この状態で、伸縮棒７を、高所の天井面の第１の点検口へ向けて伸ばし、第１の点検口にアロー部ユニット５を挿入させる。続いて、屋根裏確認ユニット２７の照明装置２８を点灯した状態で、カメラ２９により屋根裏の状況を撮影する。このとき、カメラ２９により撮影された画像は、例えばタブレット端末などの表示部に表示させるとともに、必要に応じて図示しない記憶部に保存する。
【００３８】
また、受け部材３は、アロー部ユニット５とは別の伸縮棒７に連結させる。このとき、幕部材４２は、図２に示すように広げた形態にセットされる。この状態で、受け部材３を連結させた伸縮棒７を天井面の第２の点検口へ向けて伸ばし、第２の点検口に受け部材３を挿入させる。
【００３９】
次に、タブレット端末などの表示部に表示された撮影画像から受け部材３の幕部材４２を確認する。そして、アロー１２の発射方向を目標の受け部材３の幕部材４２に向けた状態にセットする。この状態で、第１の操作紐２３を下向きに引っ張り操作することで、ロック機構のロック解除操作を行う。続いて、第２の操作紐２４を下向きに引っ張り操作することで、引き金を引く操作を行う。これにより、弓操作装置１３からアロー１２を受け部材３の幕部材４２に向けて発射する。
【００４０】
そして、受け部材３の幕部材４２に当接したアロー１２は、幕部材４２の真下に落下する。このとき、落下したアロー１２を第２の点検口で回収する。このとき回収されるアロー１２には、リード線１８の一端が固定されているので、リード線１８は、第１の点検口と第２の点検口との間に架け渡されることになる。これにより、第１の点検口と第２の点検口との間にリード線１８を敷設することができ、このリード線１８を利用して天井裏内に例えば光ケーブルなどの新たな配線ケーブル等を敷設する通線作業を行うことができる。
【００４１】
さらに、本実施形態では、受け部材３は、低反発性の布製の幕部材４２を使用しているので、受け部材３の幕部材４２に当接したアロー１２は、幕部材４２の真下に落下させることができる。そのため、落下したアロー１２を第２の点検口で回収する作業を簡単に行うことができ、その後の通線作業を容易に行うことができる。
【００４２】
そこで、上記実施形態の通線装置１と通線方法では、高所作業用に適用することができ、高所の天井裏内に配線ケーブル等の各種の配線を敷設する作業を容易に行うことができる。
【００４３】
なお、上記実施形態では、投てき装置として弓本体１４の弦部材１５の弾発力を利用したアロー部ユニット５を有する構成を示したが、これに限定されるものではない。例えば、ばね部材のばね力で飛翔体を発射するばね機構を有するピストル型の投てき装置であってもよい。また、蓄勢された圧力を利用して飛翔体を発射する投てき装置であってもよい。
【００４４】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４５】
１…通線装置、２…投てき装置、３…受け部材、４…支持脚部、５…アロー部ユニット、６…三脚、６ａ…脚部、６ｂ…脚部、６ｃ…脚部、６ｄ…支軸、６ｅ…連結具、６ｆ…伸縮棒固定部、６ｇ…三脚固定ノブ、６ｈ…伸縮棒連結穴部、６ｉ…伸縮棒固定ノブ、７…伸縮棒、７ａ…先端部材、１１…弓部材、１２…アロー、１３…弓操作装置、１４…弓本体、１５…弦部材、１６…アロー本体、１６ａ…先端部材、１６ｂ…穴部、１７…羽部、１８…リード線、１９…弓保持台、２０…引き金機構部、２１…アローガイド部、２２…弓固定部、２３…第１の操作紐（紐状体）、２４…第２の操作紐（紐状体）、２５…引っ張り方向調整部、２６…転動ローラ、２７…屋根裏確認ユニット、２８…照明装置、２９…カメラ、３０…差し込み口、３１…固定ノブ、４１…支持脚部、４２…幕部材。
【図１】
2019106803.tif 000003
【図２】
2019106803.tif 000004
【図３】
2019106803.tif 000005
【図４】
2019106803.tif 000006
【図５】
2019106803.tif 000007
【図６】
2019106803.tif 000008
【図７】
2019106803.tif 000009
【図８】
2019106803.tif 000010
【図９】
2019106803.tif 000011
【図１０】
2019106803.tif 000012
【図１１】
2019106803.tif 000013
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
飛翔体を飛ばす投てき装置と、
前記飛翔体を当接させて受ける受け部材と、を有し、
通線用のリード線の一端を前記飛翔体に固定した状態で、通線対象となる離間した位置に配置された２つの点検口のうちの一方の第１の点検口側に前記投てき装置、前記通線対象の他方の第２の点検口側に前記受け部材をそれぞれ挿入し、
前記投てき装置から前記受け部材に向けて発射した前記飛翔体を前記受け部材に当接させて落下させることで前記第１の点検口と第２の点検口との間に前記リード線を敷設する通線装置であって、
前記投てき装置は、前記飛翔体を発射する引き糸を有する弓部材と、
前記引き糸を引き絞るセット位置で前記引き糸を係脱可能に係止する係止部材と、
前記係止部材の係合解除操作を行う引き金機構と、
撮影用の撮影部材と、を有し、
前記飛翔体は、前記リード線を固定する固定部を有し、
前記投てき装置を前記第１の点検口に挿入し、前記第１の点検口の外部から前記撮影部材の撮影画像により前記受け部材を確認した状態で、前記引き金機構を作動させることで、前記係止部材の係合を解除し、前記弓部材によって前記飛翔体を前記受け部材に向けて発射する通線装置。
【請求項２】
前記引き金機構は、前記係止部材の係合解除操作を行う紐状体と、
前記紐状体を前記飛翔体の発射方向とほぼ直交する鉛直方向に引っ張り操作する引っ張り方向調整部とを有する請求項１に記載の通線装置。
【手続補正３】
【補正対象書類名】明細書
【補正対象項目名】０００１
【補正方法】変更
【補正の内容】
【０００１】
本発明は、例えば天井裏内に配線ケーブル等の各種の配線を敷設する天井裏通線作業用の通線装置に関する。
【手続補正４】
【補正対象書類名】明細書
【補正対象項目名】０００５
【補正方法】変更
【補正の内容】
【０００５】
本発明は上記事情に着目してなされたもので、その目的は、高所作業用に適用することができ、高所の天井裏内に配線ケーブル等の各種の配線を敷設する作業を容易に行うことができる通線装置を提供することにある。
【手続補正５】
【補正対象書類名】明細書
【補正対象項目名】０００６
【補正方法】変更
【補正の内容】
【０００６】
本発明の一局面の態様の通線装置は、投てき装置と、受け部材と、を有する。投てき装置は、飛翔体を飛ばす。受け部材は、前記飛翔体を当接させて受ける。そして、通線用のリード線の一端を前記飛翔体に固定した状態で、通線対象となる離間した位置に配置された２つの点検口のうちの一方の第１の点検口側に前記投てき装置を設置し、前記通線対象の他方の第２の点検口側に前記受け部材を設置する。前記投てき装置から前記受け部材に向けて発射した前記飛翔体を前記受け部材に当接させて落下させることで前記第１の点検口と第２の点検口との間に前記リード線を敷設する。さらに、前記投てき装置は、弓部材と、係止部材と、引き金機構と、撮影用の撮影部材と、を有する。前記弓部材は、前記飛翔体を発射する引き糸を有する。前記係止部材は、前記引き糸を引き絞るセット位置で前記引き糸を係脱可能に係止する。前記引き金機構は、前記係止部材の係合解除操作を行う。前記飛翔体は、前記リード線を固定する固定部を有する。前記投てき装置を前記第１の点検口に挿入し、前記第１の点検口の外部から前記撮影部材の撮影画像により前記受け部材を確認した状態で、前記引き金機構を作動させることで、前記係止部材の係合を解除し、前記弓部材によって前記飛翔体を前記受け部材に向けて発射する。
【手続補正６】
【補正対象書類名】明細書
【補正対象項目名】０００７
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
高所作業用に適用することができ、高所の天井裏内に配線ケーブル等の各種の配線を敷設する作業を容易に行うことができる通線装置を提供することができる。